(57)【要約】      （修正有）【課題】製造組み立てが容易で安価な組仕切り材及び組仕切り材一体型通い箱を提供する。【解決手段】所要の長さを有する帯状に形成された複数枚の仕切り材本体を縦横に格子状に組み立てることにより収容枡目を区画形成する組仕切り材、該組仕切り材は、仕切り材本体における縦方向又は横方向に配置される少なくともどちらか一方にその長手方向に沿って所定の間隔ごとに上端辺側から仕切り材本体の幅方向に延びる係合割り溝を形成せしめて、該係合割り溝に他方の仕切り材本体を挿入係合させ、然る後に一方の仕切り材本体の端辺に長手方向に沿って係合割り溝の導入口を塞ぐように補強長片を固着せしめてなり、組仕切り材一体型通い箱は前記組仕切り材に、当該組仕切り材の底部分を開閉自在ならしめる底蓋部材を連結してなる。【選択図】図１
0003148264.tif 000002
【実用新案登録請求の範囲】
【請求項１】
所要の長さを有する帯状に形成された複数枚の仕切り材本体を縦横に格子状に組み立てることにより収容枡目を区画形成する組仕切り材であって、
前記仕切り材本体における縦方向又は横方向に配置される少なくともどちらか一方に、その長手方向に沿って所定の間隔ごとに上端辺側から仕切り材本体の幅方向に延びる係合割り溝を形成せしめ、該係合割り溝に他方の仕切り材本体を挿入係合させ、然る後に前記係合割り溝が形成された仕切り材本体の端辺に長手方向に沿って前記係合割り溝の導入口を塞ぐように補強長片を固着してなることを特徴とする組仕切り材。
【請求項２】
所要の長さを有する帯状に形成された複数枚の仕切り材本体を縦横に格子状に組み立てることにより収容枡目を区画形成する組仕切り材を備え、該組仕切り材は、前記仕切り材本体における縦方向又は横方向に配置される少なくともどちらか一方にその長手方向に沿って所定の間隔ごとに上端辺側から仕切り材本体の幅方向に延びる係合割り溝を形成せしめて、該係合割り溝に他方の仕切り材本体を挿入係合させ、然る後に一方の仕切り材本体の端辺に長手方向に沿って前記係合割り溝の導入口を塞ぐように補強長片を固着せしめてなり、前記組仕切り材に、当該組仕切り材の底部分を開閉自在ならしめる底蓋部材を連結してなることを特徴とする組仕切り材一体型通い箱。
【請求項３】
前記底蓋部材が、前記組仕切り材の外周部分を覆う立壁を備えてなる請求項２記載の組仕切り材一体型通い箱。
【請求項４】
前記底蓋部材が、前記組仕切り材の外側部分に沿うように起立する提げ手を備えてなる請求項２又は３に記載の組仕切り材一体型通い箱。
【考案の詳細な説明】
【技術分野】
【０００１】  本考案は、産業製品等の物品をダンボール箱などに収納する際に当該物品等を整然と配列収容するべく、仕切り材を縦横に所定の間隔をおいて格子状に組み立てて矩形状の収容枡目を区画形成するための組仕切り材、並びに当該組仕切り材を備えた通い箱に関するものである。
【背景技術】
【０００２】  通常の組仕切り材では、長手方向に沿って一方の端辺側に所定の間隔ごとに仕切り材の幅方向に切り割りを形成し、縦方向に配置される仕切り材と横方向に配置される仕切り材の切り割り同士を相互に差し込み係合さるだけであったため、格子状に組み立てられた各仕切り材が不用意に分離して、格子状に区画形成された収容枡目が壊れてしまうことがあった。
そこで、各仕切り材が不用意に分離しないように工夫されたものがいろいろと提案されたが、製造組み立てが面倒であったりコスト高になる等の不具合があった。【０００３】  一方、例えば工場間や拠点間等において部品や製品を収容して行き来するときに使われる通い箱では、収容された部品や製品が空になったら中の組仕切り材を含めてできるだけコンパクトになることが、搬送上ならびに保管上望ましい。【０００４】  尚、本願出願人が知っている上記の先行技術は文献公知考案に係るものではないため、本願明細書には先行技術文献情報を開示しない。
【考案の開示】
【考案が解決しようとする課題】
【０００５】  本考案はこの様な現状に鑑みてなされたものであり、組仕切り材にあっては製造組み立てが容易で安価に提供することができ、通い箱にあっては前記組仕切り材に少しの工夫を加えるだけで通い箱として使用することが可能であると同時に、収容された物品が空になったらコンパクトに折り畳んで搬送、保管することが可能なものを提供することを目的とする。
【課題を解決するための手段】
【０００６】  上記の目的を達成する本考案の組仕切り材は、所要の長さを有する帯状に形成された複数枚の仕切り材本体を縦横に格子状に組み立てることにより収容枡目を区画形成する組仕切り材であって、前記仕切り材本体における縦方向又は横方向に配置される少なくともどちらか一方に、その長手方向に沿って所定の間隔ごとに上端辺側から仕切り材本体の幅方向に延びる係合割り溝を形成せしめ、該係合割り溝に他方の仕切り材本体を挿入係合させ、然る後に前記係合割り溝が形成された仕切り材本体の端辺に長手方向に沿って前記係合割り溝の導入口を塞ぐように補強長片を固着してなることを特徴としたものである。
また、本考案の組仕切り材一体型通い箱は、所要の長さを有する帯状に形成された複数枚の仕切り材本体を縦横に格子状に組み立てることにより収容枡目を区画形成する組仕切り材を備え、該組仕切り材は、前記仕切り材本体における縦方向又は横方向に配置される少なくともどちらか一方にその長手方向に沿って所定の間隔ごとに上端辺側から仕切り材本体の幅方向に延びる係合割り溝を形成せしめて、該係合割り溝に他方の仕切り材本体を挿入係合させ、然る後に一方の仕切り材本体の端辺に長手方向に沿って前記係合割り溝の導入口を塞ぐように補強長片を固着せしめてなり、前記組仕切り材に、当該組仕切り材の底部分を開閉自在ならしめる底蓋部材を連結してなることを特徴としたものである。
この際、前記底蓋部材には組仕切り材の外周部分を覆う立壁を備えることが好ましい。
更に、前記底蓋部材には前記組仕切り材の外側部分に沿うように起立する提げ手を備えることが好ましい。
【考案の効果】
【０００７】  本考案に係る組仕切り材によれば、仕切り材本体における縦方向又は横方向に配置される少なくともどちらか一方に、その長手方向に沿って所定の間隔ごとに上端辺側から仕切り材本体の幅方向に延びるように形成された係合割り溝に他方の仕切り材本体を挿入係合させ、その後に係合割り溝の導入口を塞ぐように仕切り材本体の端辺に長手方向に沿って補強長片を固着してなるので、一旦格子状に組み立てられた後には各仕切り材同士が不用意に分離する恐れがなく、且つ製造組み立てが容易で安価に提供することが出来る。【０００８】  しかも、従来のこの種の組仕切り材と同様に、複数の仕切り材本体で区画形成された収容枡目の格子形態を潰すようにして扁平状態に簡便に折りたたむことが出来る。
更に、係合割り溝の導入口を塞ぐように仕切り材本体の端辺に長手方向に沿って補強長片を固着してなるので、仕切り材本体自体にさほど剛性がない場合でも組仕切り材としての剛性が優れたものとなる。【０００９】  また、本考案に係る組仕切り材によれば、組仕切り材に当該組仕切り材の底部分を開閉自在ならしめる底蓋部材を連結してなるので、組仕切り材の底部分を底蓋部材で閉じることにより組仕切り材を構成している各仕切り本体が強制的に格子状に整列させられて、物品を収容しえるように各収容枡目が保形され、よって組仕切り材自体が通い箱として機能し得るようになる。
この際、底蓋部材に組仕切り材の外周部分を覆う立壁を備えることにより、通い箱としての剛性を向上させることが可能となる。【００１０】  逆に、底蓋部材を開けると各仕切り本体を格子状に整列させている強制力が解かれるので、縦横に組まれた仕切り本体の格子状態が図２に示すごとく扁平に潰された形態となる。従って、組仕切り材を簡便に且つコンパクトに折り畳むことが出来る。【００１１】  また、底蓋部材には、組仕切り材の外側部分に沿うように起立する提げ手を備えてなるので、通い箱を持ち運ぶ際にこの提げ手を持つことにより自然に底蓋部材を介して組仕切り材を支えることになり、その結果、通い箱ひいては組仕切り材を安定して持ち運ぶことが可能となる。
【考案を実施するための最良の形態】
【００１２】  以下、本考案の具体的な好適実施例を図面を参照しながら詳細に説明するが、本考案は図示した実施例のものに限定されるものではなく、その要旨を越えない範囲において自由に変更可能である。【００１３】  組仕切り材Ａは、所要の長さを有する帯状に形成された複数枚の仕切り材本体１ａ，１ｂを縦横に格子状に組み立てて構成され、複数枚の仕切り材本体１ａ，１ｂにより矩形状の収容枡目２が複数個区画形成される。【００１４】  仕切り材本体１ａ，１ｂは、プラスチック製板材や厚紙材或いは金属板等を用いて、組仕切り材Ａの収容枡目２内に収容される物品の大きさや収容個数に応じて所要の長さと幅を有する帯状に形成され、その内の縦方向又は横方向に配置される少なくともどちらか一方の仕切り材本体１ａに、その長手方向に沿って所定の間隔ごとに上端辺側１１ａから仕切り材本体１ａの幅方向（短辺長方向）に延びる係合割り溝１２を形成せしめ、その係合割り溝１２に他方の仕切り材本体１ｂを挿入係合させることにより、縦横に格子状に組み立てられる。【００１５】  なお、仕切り材本体１ａの長手方向に形成される係合割り溝１２や後述する他方の仕切り材本体１ｂに形成される係合凹溝１３と載承用溝１５の間隔（ピッチ）は、格子状に区画形成される収容枡目の数（縦×横の数）に応じて設定され、そして、各仕切り材本体１ａ，１ｂの幅（短辺長）は区画形成された収容枡目内に収納しようとする物品の大きさ（長さ）に応じて設定される。【００１６】  この際、他方の仕切り材本体１ｂの下端辺側１１ｂには、図示実施例の如く、一方の仕切り材本体１ａの各係合割り溝１２と相互に係合する係合溝１３を形成せしめ、組仕切り材Ａとしての底部に各仕切り材本体１ａ，１ｂ同士の段差が出来ないようにすることが好ましい。（図４参照。）
この様に、他方の仕切り材本体１ｂに係合溝１３を形成して係合割り溝１２とに係合させることにより、仕切り材本体１ａ，１ｂ相互の横ずれを防止することが可能となる。【００１７】  そして、係合割り溝１２が形成された仕切り材本体１ａの上端辺側１１ａには、当該係合割り溝１２の導入口１２’を塞ぐように、補強長片１４を仕切り材本体１ａの長手方向に沿って接着又は溶着若しくはその他の機械的固着手段により固着一体化させる。【００１８】  この際、他方の仕切り材本体１ｂの上端辺側に、図示実施例の如く、一方の仕切り材本体１ａの各係合割り溝１２と対応する位置に、補強長片１４の短辺長とほぼ同じ深さの載承用溝１５を形成することが好ましい。
他方の仕切り材本体１ｂの上端辺側に載承用溝１５を形成することにより、一方の仕切り材本体１ａの上端辺側１１ａに補強長片１４を固着する際に、補強長片１４を他方の仕切り材本体１ｂの載承用溝１５に係合載承させて、安定して固着することが出来るだけでなく、組仕切り材Ａとしての上部に各仕切り材本体１ａ，１ｂ同士の段差がなくフラットに形成することが可能となる。【００１９】  補強長片１４としては、どのような材質のものでも使用可能であるが、仕切り材本体１ａと同じ材質のものが好ましい。
また、使用する補強長片１４は１枚でも良いが、より剛性を上げるためには２枚を用いて一方の仕切り材本体１ａの上端辺側１１ａを挟むようにして固着することが好ましい。【００２０】  而して、前記組仕切り材Ａに、当該組仕切り材の底部分を開閉自在ならしめる底蓋部材Ｃを連結することにより組仕切り材一体型通い箱Ｂが構成される。【００２１】  底蓋部材Ｃは、組仕切り材Ａの平面視外形形状とほぼ同じ大きさに形成され、組仕切り材Ａの底面部に開閉自在に取り付けられる。
底蓋部材Ｃとしてはどのような材質のものでも使用可能であるが、通い箱としての剛性を上げるためには剛性に優れたプラスチック板材或いは金属板等を用いるのが好ましい。【００２２】  底蓋部材Ｃの構造や開閉機構はいろいろと考えられるが、図示実施例のものは、底蓋部材Ｃがプラスチック板材からなる２つの蓋部材１６，１７でもって形成され、両蓋部材１６，１７の基部が仕切り材本体１ｂに連結部材１８を介して開閉自在に取り付けられている。【００２３】  すなわち、一方の蓋部材１６の先端側には幅広頸部１６ａを介して２つの係合突片１６ｂが突出形成され、他方の蓋部材１７の先端側には上記幅広頸部１６ａが係合する係合凹部１７ａと、上記係合突片１６ｂが係合する係合細穴１７ｂが形成され、両蓋部材１６，１７の基部をそれぞれ他方の仕切り材本体１ｂに連結部材１８を介して開閉自在に取り付け、図３に示す如く、閉蓋時において両蓋部材１６，１７の先端側を重ね合わせて一方の蓋部材１６の幅広頸部１６ａを他方の蓋部材１７の係合凹部１７ａに係合させると共に、一方の蓋部材１６の係合突片１６ｂを他方の蓋部材１７の係合細穴１７ｂに係合させることにより閉じられるように構成されている。【００２４】  底蓋部材Ｃで組仕切り材Ａの底面部を閉じるということは、特に本実施例の場合、一方の蓋部材１６と他方の蓋部材１７とが連結されるということであり、従って互いに格子状に組まれた複数の仕切り材本体１ａ，１ｂのうち両端に配置された仕切り材本体（図示実施例では他方の仕切り材本体１ｂ）が底蓋部材Ｃを介して相対峙した状態に連結されたことになる。その結果、組仕切り材を構成している各仕切り本体が強制的に格子状に整列させられて、物品を収容しえるように各収容枡目２が矩形状に保形される。【００２５】  更に、両蓋部材１６，１７の両サイドには組仕切り材Ｂの外周部分を覆う立壁１９が一体的に立設されている。この立壁１９は、組仕切り材Ｂをサイドから支えて組仕切り材Ｂの剛性を向上させるために、組仕切り材Ｂの外周部分を覆うと同時に仕切り材本体の端面に接触させることが好ましい。【００２６】  尚、図示実施例では両蓋部材１６，１７を他方の仕切り材本体１ｂに取り付けたが、両蓋部材１６，１７を一方の仕切り材本体１ａに取り付けても構わない。また、底蓋部材Ｃとしては２つの蓋部材１６，１７に分割せずに、１枚もので構成しても良いことは理解されるべきである。
更に、組仕切り材一体型通い箱Ｂには組仕切り材Ａの上部を覆う底蓋部材Ｃと同様な蓋部材を備えても良い。【００２７】  また、連結部材１８としては、組仕切り材Ａに対して底蓋部材Ｃを開閉自在に連結し得るものであれば、周知の蝶番でも良いし、若しくは接着テープ様のものであっても良い。【００２８】  また、底蓋部材Ｃには組仕切り材Ａの外側部分に沿うように起立する提げ手Ｄを備えると良い。この提げ手Ｄは、底蓋部材Ｃの立壁１９に同一体に形成しても良いし、図示実施例の如く別体に形成して立壁１９に連結部材１８でもって折り畳み可能に取付けてもよい。
【図面の簡単な説明】
【００２９】
【図１】  本考案実施の一例を示す組仕切り材及び組仕切り材一体型通い箱の斜視図。
【図２】  同組仕切り材及び組仕切り材一体型通い箱を潰した状態を説明する模式図。
【図３】  同組仕切り材及び組仕切り材一体型通い箱を底部側から見た斜視図。
【図４】  同組仕切り材及び組仕切り材一体型通い箱の一部分解斜視図。
【符号の説明】
【００３０】      Ａ：組仕切り材Ａ
Ｂ：組仕切り材一体型通い箱
Ｃ：底蓋部材
Ｄ：提げ手
１ａ：一方の仕切り材本体
１ｂ：他方の仕切り材本体
１１ａ：仕切り材本体の上端辺側
１２：係合割り溝
１２’：導入口
１３：係合凹溝
１４：補強長片
１５：載承用溝
１６，１７：蓋部材
１８：連結部材
１９：立壁
２：収容枡目
【図１】
0003148264.tif 000003
【図２】
0003148264.tif 000004
【図３】
0003148264.tif 000005
【図４】
0003148264.tif 000006